(57)【要約】 【課題】  基板用コネクタのシールド性能の改善を図ることを目的とする。【解決手段】  基板用コネクタ１０はフード部１２を備えたコネクタハウジング１１と、シールドケース２０とから構成されている。コネクタハウジング１１の奥壁１２Ａからは端子１５が突出され、同端子１５の屈曲端１５Ｃが回路基板Ｐに対して接続される。一方、シールドケース２０は角筒状のケース本体２１と、ケース本体２１の受け入れ口２６の上縁に形成される蓋部３０とから構成される。蓋部３０はハウジング挿入前の状態にあってはケース本体２１の受け入れ口２６を開放する受け入れ姿勢にあるが、上方からの押圧操作によってほぼ９０度屈曲されて、受け入れ口２６を閉止するようになっている。以上のことから、コネクタハウジング１１の嵌合面１１Ｂを除く全体並びに端子１５の全体をシールドケース２０によって覆うことが可能となり、高いシールド性能が発揮される。【選択図】  図１
2006066207.tif 000002
【特許請求の範囲】
【請求項１】
シールドケースを有する基板用コネクタの後面からは端子が突設された後屈曲され、その端部が回路基板に対して接続されるものにおいて、
前記シールドケースは前後に開口し前記基板用コネクタを構成するハウジングを収容可能とする筒状の本体部と、
前記本体部の開口縁に設けられて前記端子の屈曲された部分の後方を被覆可能とされた蓋部とを備えてなることを特徴とする基板用コネクタのシールド構造。    
【請求項２】
前記ハウジングに前記回路基板に対する固定部が設けられているものにおいて、前記固定部は前記ハウジングの幅寸法内に形成されていることを特徴とする請求項１に記載の基板用コネクタのシールド構造
【請求項３】
前記シールドケースは前記ハウジングと共締めされて前記回路基板に固定されていることを特徴とする請求項１又は請求項２に記載の基板用コネクタのシールド構造。
【発明の詳細な説明】
【技術分野】
【０００１】
本発明は、基板用コネクタのシールド構造に関する。
【背景技術】
【０００２】
従来より、基板の接続されるコネクタにおいて、シールドケースを備えたものが知られている（特許文献１）。
このものにおいてシールドケースは、コネクタの上面、左右両側面、底面壁を覆う４枚の壁体よりなる。
【特許文献１】特開平５−７４５２３号公報
【発明の開示】
【発明が解決しようとする課題】
【０００３】
上記構造では、コネクタの下面側を覆うことが出来ず、シールド性能が十分でない。コネクタの下面側を覆うには、シールドケースを筒型にして内部にコネクタ全体を収容してやればよいが、この場合にシールドケースに対するコネクタのコネクタの組み付け性を考慮すると、シールドケースの前後両端面を開口させ、いずれかの開口よりコネクタの組み付けを行うこととなる。しかし、図６に示すようにシールドケース１の前後を開口させると、基板Ｐに接続される端子３部分を覆うことが出来ない。
本発明は上記のような事情に基づいて完成されたものであって、シールド性能の改善を図ることを目的とする。
【課題を解決するための手段】
【０００４】
上記の目的を達成するための手段として、請求項１の発明は、シールドケースを有する基板用コネクタの後面からは端子が突設された後屈曲され、その端部が回路基板に対して接続されるものにおいて、前記シールドケースは前後に開口し前記基板用コネクタを構成するハウジングを収容可能とする筒状の本体部と、前記本体部の開口縁に設けられて前記端子の屈曲された部分の後方を被覆可能とされた蓋部とを備えてなるところに特徴を有する。
【０００５】
請求項２の発明は、請求項１に記載のものにおいて、前記ハウジングに前記回路基板に対する固定部が設けられているものにおいて、前記固定部は前記ハウジングの幅寸法内に形成されているところに特徴を有する。
【０００６】
請求項３の発明は、請求項１または請求項２に記載のものにおいて、前記シールドケースは前記ハウジングと共締めされて前記回路基板に固定されているところに特徴を有する。
【発明の効果】
【０００７】
＜請求項１の発明＞
請求項１の発明によれば、端子を含めたハウジング全体をシールドケースによって覆うことが可能なのでシールド性能に優れる。
【０００８】
＜請求項２の発明＞
請求項２の発明によれば、固定部がハウジングの幅寸法内に形成されているから幅方向への飛び出しがなくなる。そのため、シールドケースに対してハウジングを挿入し易くなるし、シールドケースを含めたコネクタ全体の小型化にも寄与する。
【０００９】
＜請求項３の発明＞
請求項３の発明によれば、ハウジングとシールドケースを共締めしているからこれらを個別に固定する場合に比べて、取りつけ構造が簡便であるし、取りつけ作業も短くて済む。
【発明を実施するための最良の形態】
【００１０】
＜実施形態１＞
本発明の実施形態１を図１ないし図５によって説明する。
図１に示す１０は基板用コネクタであって、合成樹脂材よりなるコネクタハウジング（本発明のハウジングに相当する）１１、並びに金属製のシールドケース２０を備えてなる。コネクタハウジング１１は前方（図５における右側）に開口する角筒状のフード部１２を備えており、そこへは相手側コネクタ（図示せず）が嵌合されるようになっている。コネクタハウジング１１の奥壁１２Ａにはフード部１２内にタブ１５Ａを突出させた状態で端子１５が貫通されている。
尚、以下の説明において、前後方向に関しては基板用コネクタ１０の嵌合面側を前側として説明するものとする。
【００１１】
端子１５は平板状をなすとともに、奥壁１２Ａから後方に突出された側は下向きに約９０度屈曲されている。端子１５の屈曲端１５Ｃは回路基板Ｐのスルーホール４１に嵌入されるとともに、その状態から半田付けにより回路基板Ｐに固着されるようになっている。
【００１２】
また、奥壁１２Ａの下端右側部には座部（本発明の固定部に相当する）１３が突設されている。座部１３には上下に貫通するねじ孔１４が形成されており、次述するシールドケース２０とともに回路基板Ｐに対してねじ止めされるようになっている。また、座部１３の側面（図１における手前側の側面）１３Ａはコネクタハウジング１１の側面１１Ａと面一とされており、幅方向（図１における矢印Ａ方向であって、シールドケースに対するコネクタの挿入方向とは直交する方向）への突出がないような設定（本発明の固定部は前記ハウジングの幅寸法内に形成されている構成に相当）とされている。尚、回路基板Ｐにおける座部１３のねじ孔１４と対向する位置には取り付け孔４２が開口している。
【００１３】
シールドケース２０はケース本体（本発明の本体部に相当する）２１と蓋部３０とから構成される。ケース本体２１は前後に開口する角筒状をなす。ケース本体２１の両開口のうち図１における手前側の開口はコネクタ受け入れ口２６とされており、そこより、コネクタハウジング１１を内部に収容させるようになっている。
【００１４】
収容状態について説明すると図４に示すように、相手側コネクタとの嵌合面側（図４における右端側）にあっては、ケース本体２１の先端とコネクタハウジング１１の先端とがほぼ整合するようになっている。一方、回路基板Ｐとの接続側（図４における左端側）にあっては、ケース本体２１の各壁面（下壁２４を除く）の後端位置は端子１５の屈曲部１５Ｂよりやや後方（図３における左側）に位置している。尚、屈曲部１５Ｂが本発明における端子の屈曲された部分に相当する。
【００１５】
一方、ケース本体２１の下壁２４にあっては、その後端部分が切りかかれている。この切り欠かかれた部分は端子３５の屈曲端１５Ｃを逃がすためのものである。また、下壁２４における座部１３のねじ孔１４と対向する位置には挿通孔２４Ａが形成されている。
【００１６】
蓋部３０は図１に示すように、ケース本体２１のコネクタ受け入れ口２６の上縁にヒンジ（詳細には図示していないが、ヒンジはその肉厚を他の部分に比べて薄肉化することで形成されている）２８を介して一体的に形成され、その大きさはケース本体２１の受け入れ口２６を隙間無く閉止可能な大きさとされている。  蓋部３０は組み付け前の状態にあっては、ケース本体２１の上壁２２と面一をなし受け入れ口２６を開放した受け入れ姿勢（図１に示す姿勢）にあるが、上方からの押圧操作によってヒンジ２８を中心にして下向きにほぼ９０度屈曲され、受け入れ口２６を閉止する閉止姿勢（図５に示す姿勢）をとるようになっている。これにより、コネクタハウジング１１のうち嵌合面１１Ｂを除く全壁面並びに屈曲部１５Ｂを含む端子１５の全体をシールドケース２０内に収容させるとともに、受け入れ口２６が蓋部３０によって隙間無く閉止される。
【００１７】
尚、詳細には図示していないが、蓋部３０の閉止姿勢はストッパピンによって保持されるようになっている。ストッパピンは回路基板Ｐに例えば、ねじ止め等によって固定されるようになっており、閉止状態にある蓋部３０の後面３０Ａに当接することで蓋部３０の開き防止を行うようになっている。
【００１８】
次に、本実施形態の作用・効果について説明する。
基板用コネクタ１０を回路基板Ｐに対して取り付けるには、まず、コネクタハウジング１１の嵌合面１１Ｂ側をシールドケース２０の受け入れ口２６に向かい合わせ、その状態からシールドケース２０内にコネクタハウジング１１を差し込んでゆく。そして、シールドケース２０の前端位置とコネクタハウジング１１の前端位置とが整合する位置までコネクタハウジング１１を差し込んだら、次に、基板用コネクタ１０を回路基板Ｐに対して装着する。
【００１９】
上記した差し込み作業が完了した状態（シールドケース２０の前端位置とコネクタハウジング１１の前端位置とが整合する状態）においては、図３に示すようにコネクタハウジング１１のねじ孔１４とシールドケース２０の下壁２４の挿通孔２４Ａとがほぼ整合した状態にある。そのため、基板用コネクタ１０を回路基板Ｐに対して取り付けるには、コネクタハウジング１１のねじ孔１４を回路基板Ｐの取り付け孔４２に対して位置合わせするとともに、端子１５の屈曲端１５Ｃを回路基板Ｐのスルーホール４１に対して位置合わせし、その状態からねじ止めしてやれば、コネクタハウジング１１並びにシールドケース２０を回路基板Ｐに対して共締めすることが出来る。
【００２０】
その後、蓋部３０を押圧操作してヒンジ２８を中心として下向きに約９０度屈曲させ、続いてストッパピンの組み付けを行えば、シールドケース２０の受け入れ口２６は蓋部３０によって隙間無く閉止され、これにより、シールドケース２０内にコネクタハウジング１１の嵌合面１１Ｂを除く全面並びに、端子１５の全体が覆われることとなる。
【００２１】
このように本実施形態によれば、コネクタハウジング１１の嵌合面１１Ｂを除く全壁面並びに端子１５の全体をシールドケース２０によって覆うこと出来るからシールド性に優れるものとなる。また、座部１３がコネクタハウジング１１の幅寸法内に形成されているから幅方向への飛び出しがなくなる。そのため、シールドケース２０に対してコネクタハウジング１１を挿入し易くなるし、シールドケース２０を含めた基板用コネクタ１０全体の小型化にも寄与する。
加えて、回路基板Ｐに対してコネクタハウジング１１とシールドケース２０を共締めしているからこれらを両部品を個別に固定する構成の場合に比べて、取りつけ構造が簡便であるし、取りつけ作業も短くて済む。
【００２２】
＜実施形態２＞
本発明の実施形態２を説明する。
実施形態１ではシールドケース２０を金属製としたが、実施形態２ではこのシールドケース２０を外周面の全体に金属メッキを施した樹脂製のケーシングによって構成したものである。この場合であっても、実施形態１と同様にコネクタハウジング１１並びに端子１５のほぼ全体を金属皮膜で取り囲むことが出来るから実施形態１と同様のシールド効果が得られるとともに、樹脂材とすることでコネクタ全体の軽量化が図られる。
【００２３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２４】
（１）実施形態１においては、蓋部３０をケース本体２１の後端の上縁部に形成したが、端子１５の屈曲部１５Ｂを覆うことが出来るものであればよく、例えば側縁部に形成してもよい。
【００２５】
（２）実施形態１では、ヒンジ２８をケース本体２１と一体的に形成したが、例えば、ケース本体２１とは別部品により構成するものであってもよい。
【００２６】
（３）実施形態１では、ヒンジ２８を薄肉化することで形成したが、例えば、コネクタハウジング１１の幅方向に関して間欠的にスリットを設けてヒンジ２８を形成するものであってもよい。
【００２７】
（４）実施形態１では蓋部３０の閉止姿勢を保持するためのロック機構をロックピンにより形成したが、蓋部３０の開き防止を行うことが可能であればよく、例えば凹凸嵌合（蓋部側に凸部を設ける一方、回路基板側に嵌合溝を形成）を利用するものであってもよい。
【図面の簡単な説明】
【００２８】
【図１】実施形態１における基板用コネクタの分解斜視図
【図２】コネクタハウジングをシールドケースに装着する動作を示す断面図
【図３】基板用コネクタの固定構造を示す断面図
【図４】蓋部の閉止動作を示す断面図
【図５】基板用コネクタが回路基板に固定された状態を示す断面図
【図６】従来例を示す図
【符号の説明】
【００２９】
１０…基板用コネクタ
１１…コネクタハウジング
１５…端子
１５Ｂ…屈曲部
１５Ｃ…屈曲端
２０…シールドケース
３０…蓋部
【図１】
2006066207.tif 000003
【図２】
2006066207.tif 000004
【図３】
2006066207.tif 000005
【図４】
2006066207.tif 000006
【図５】
2006066207.tif 000007
【図６】
2006066207.tif 000008